(57)【特許請求の範囲】
【請求項１】
少なくとも患者の血液を体外循環させるための血液回路を構成する動脈側血液回路及び静脈側血液回路を有した血液浄化用回路と、
該血液浄化用回路に接続可能な複数の接続部を有するとともに、前記血液回路にて体外循環する血液を浄化するための血液浄化器と、
前記血液回路及び血液浄化器にて血液浄化治療させるための種々の治療手段が配設された装置本体と、
を具備した血液浄化装置において、
前記血液浄化器の接続部からそれぞれ接続流路を延設させ、当該接続流路を介して前記血液浄化器と血液浄化用回路とが接続可能な構成とされるとともに、前記血液浄化用回路の先端部を束ねつつ形成された第１コネクタと、前記接続流路の先端部を束ねつつ形成された第２コネクタとを具備し、当該第１コネクタ及び第２コネクタが接続されることにより前記血液浄化器の接続部に対応した前記血液浄化用回路がそれぞれ連通可能とされ、且つ、前記第１コネクタ又は第２コネクタは、前記血液浄化用回路又は血液浄化器の固有情報を識別可能とする識別手段が形成され、前記装置本体は、前記第１コネクタ及び第２コネクタが接続された状態に限り保持可能な保持手段を具備するとともに、当該保持手段で前記第１コネクタ及び第２コネクタが保持された状態で前記識別手段の識別が可能とされたことを特徴とする血液浄化装置。
【請求項２】
前記血液浄化用回路は、前記血液浄化器に透析液を導入する透析液導入チューブと、当該血液浄化器から透析液を導出する透析液導出チューブとを有し、これら透析液導入チューブ及び透析液導出チューブの先端部が前記血液回路の先端部と共に束ねられつつ前記第２コネクタに接続されたことを特徴とする請求項１記載の血液浄化装置。
【請求項３】
前記第１コネクタ及び第２コネクタが接続された状態において、前記血液浄化用回路の先端部と前記接続流路の先端部とがシール可能とされたことを特徴とする請求項１又は請求項２記載の血液浄化装置。
【請求項４】
前記第１コネクタ及び第２コネクタは、正規の種類又は接続の向きを視認可能な目印が形成されたことを特徴とする請求項１〜３の何れか１つに記載の血液浄化装置。
【請求項５】
前記第１コネクタ及び第２コネクタは、正規の種類又は接続の向きに限り接続を可能とする形状を有することを特徴とする請求項１〜４の何れか１つに記載の血液浄化装置。
【請求項６】
前記第１コネクタ及び第２コネクタの接続状態を検知可能な検知手段を具備したことを特徴とする請求項１〜５の何れか１つに記載の血液浄化装置。
【請求項７】
前記装置本体は、前記第１コネクタ及び第２コネクタが接続されたことを前記検知手段にて検知したことを条件として前記血液浄化用回路による送液を行わせることを特徴とする請求項６記載の血液浄化装置。
【請求項８】
前記識別手段は、前記第１コネクタ又は第２コネクタに付与された識別コードから成り、前記装置本体に配設された読み取り手段にて当該識別コードの情報を読み取ることにより前記血液浄化用回路又は血液浄化器の固有情報を識別可能とされたことを特徴とする請求項１〜７の何れか１つに記載の血液浄化装置。
【請求項９】
前記装置本体は、前記読み取り手段で読み取った前記識別コードの情報を表示可能な表示手段を具備したことを特徴とする請求項８記載の血液浄化装置。
【請求項１０】
前記装置本体は、前記識別手段で識別された情報に基づいて治療条件を制限し得ることを特徴とする請求項１〜９の何れか１つに記載の血液浄化装置。
【発明の詳細な説明】
【技術分野】
【０００１】
本発明は、患者の血液を体外循環させつつ浄化するための血液浄化装置に関するものである。
【背景技術】
【０００２】
一般に、透析治療を行うための血液浄化装置は、患者の血液を体外循環させるための血液回路を構成する動脈側血液回路及び静脈側血液回路と、血液回路にて体外循環する血液を浄化するための血液浄化器と、血液回路及び血液浄化器にて血液浄化治療させるための血液ポンプ等の種々の治療手段が配設された装置本体とを具備している。動脈側血液回路及び静脈側血液回路の先端には、それぞれ動脈側穿刺針及び静脈側穿刺針が取り付け可能とされている。【０００３】
そして、動脈側穿刺針及び静脈側穿刺針を患者に穿刺した後、血液ポンプを駆動させることにより、患者の患者が動脈側血液回路及び静脈側血液回路を流動することとなり、その流動過程において血液浄化器にて血液浄化されるようになっている。また、透析治療においては、血液浄化器に透析液を導入するための透析液導入チューブと、血液浄化器から透析液を導出するための透析液導出チューブとがそれぞれ血液浄化器に接続されている。【０００４】
通常、血液浄化治療を行う際には、血液回路を構成する動脈側血液回路及び静脈側血液回路や、透析液導入チューブ及び透析液導出チューブをそれぞれ血液浄化器に接続する必要があることから、接続のための作業が煩わしく、誤って接続してしまわないように慎重な接続作業が必要とされていた。かかる不具合を解消すべく、従来より、血液回路等を有した血液浄化用回路と血液浄化器とを一体化させた血液浄化装置が提案されている（例えば、特許文献１参照）。
【先行技術文献】
【特許文献】
【０００５】
【特許文献１】特開平６−２９２７２２号公報
【発明の概要】
【発明が解決しようとする課題】
【０００６】
しかしながら、上記従来の血液浄化装置においては、血液回路等を有した血液浄化用回路と血液浄化器とを一体化させているので、血液浄化治療前の接続作業を不要とて作業性を向上させ得るものの、血液回路等及び血液浄化器にはその用途（子供用又は大人用等）や性能（治療モードに応じた違い等）に応じて多数の種類があることから、そのような血液回路等と血液浄化器を一体化させる場合、極めて多くの組み合わせがあり、それらを準備しておく必要がある。【０００７】
したがって、使用頻度が極めて低い組み合わせのものも製造して準備しておく必要があり、製造コストが嵩んでしまうとともに、使用頻度が高い組み合わせのものと低い組み合わせのものを併せて在庫として多数保有する必要があることから、メンテナンスのためのコストが嵩んでしまうという問題があった。【０００９】
本発明は、このような事情に鑑みてなされたもので、血液浄化用回路と血液浄化器との接続作業を容易に行わせることができるとともに、製造コスト及びメンテナンスのためのコストを低減させることができる血液浄化装置を提供することにある。
【課題を解決するための手段】
【００１０】
請求項１記載の発明は、少なくとも患者の血液を体外循環させるための血液回路を構成する動脈側血液回路及び静脈側血液回路を有した血液浄化用回路と、該血液浄化用回路に接続可能な複数の接続部を有するとともに、前記血液回路にて体外循環する血液を浄化するための血液浄化器と、前記血液回路及び血液浄化器にて血液浄化治療させるための種々の治療手段が配設された装置本体とを具備した血液浄化装置において、前記血液浄化器の接続部からそれぞれ接続流路を延設させ、当該接続流路を介して前記血液浄化器と血液浄化用回路とが接続可能な構成とされるとともに、前記血液浄化用回路の先端部を束ねつつ形成された第１コネクタと、前記接続流路の先端部を束ねつつ形成された第２コネクタとを具備し、当該第１コネクタ及び第２コネクタが接続されることにより前記血液浄化器の接続部に対応した前記血液浄化用回路がそれぞれ連通可能とされ、且つ、前記第１コネクタ又は第２コネクタは、前記血液浄化用回路又は血液浄化器の固有情報を識別可能とする識別手段が形成され、前記装置本体は、前記第１コネクタ及び第２コネクタが接続された状態に限り保持可能な保持手段を具備するとともに、当該保持手段で前記第１コネクタ及び第２コネクタが保持された状態で前記識別手段の識別が可能とされたことを特徴とする。
【００１１】
請求項２記載の発明は、請求項１記載の血液浄化装置において、前記血液浄化用回路は、前記血液浄化器に透析液を導入する透析液導入チューブと、当該血液浄化器から透析液を導出する透析液導出チューブとを有し、これら透析液導入チューブ及び透析液導出チューブの先端部が前記血液回路の先端部と共に束ねられつつ前記第２コネクタに接続されたことを特徴とする。【００１２】
請求項３記載の発明は、請求項１又は請求項２記載の血液浄化装置において、前記第１コネクタ及び第２コネクタが接続された状態において、前記血液浄化用回路の先端部と前記接続流路の先端部とがシール可能とされたことを特徴とする。【００１３】
請求項４記載の発明は、請求項１〜３の何れか１つに記載の血液浄化装置において、前記第１コネクタ及び第２コネクタは、正規の種類又は接続の向きを視認可能な目印が形成されたことを特徴とする。【００１４】
請求項５記載の発明は、請求項１〜４の何れか１つに記載の血液浄化装置において、前記第１コネクタ及び第２コネクタは、正規の種類又は接続の向きに限り接続を可能とする形状を有することを特徴とする。【００１５】
請求項６記載の発明は、請求項１〜５の何れか１つに記載の血液浄化装置において、前記第１コネクタ及び第２コネクタの接続状態を検知可能な検知手段を具備したことを特徴とする。【００１６】
請求項７記載の発明は、請求項６記載の血液浄化装置において、前記装置本体は、前記第１コネクタ及び第２コネクタが接続されたことを前記検知手段にて検知したことを条件として前記血液浄化用回路による送液を行わせることを特徴とする。【００１８】
請求項８記載の発明は、請求項１〜７の何れか１つに記載の血液浄化装置において、前記識別手段は、前記第１コネクタ又は第２コネクタに付与された識別コードから成り、前記装置本体に配設された読み取り手段にて当該識別コードの情報を読み取ることにより前記血液浄化用回路又は血液浄化器の固有情報を識別可能とされたことを特徴とする。
【００１９】
請求項９記載の発明は、請求項８記載の血液浄化装置において、前記装置本体は、前記読み取り手段で読み取った前記識別コードの情報を表示可能な表示手段を具備したことを特徴とする。
【００２１】
請求項１０記載の発明は、請求項１〜９の何れか１つに記載の血液浄化装置において、前記装置本体は、前記識別手段で識別された情報に基づいて治療条件を制限し得ることを特徴とする。
【発明の効果】
【００２６】
請求項１の発明によれば、血液浄化器の接続部からそれぞれ接続流路を延設させ、当該接続流路を介して前記血液浄化器と血液浄化用回路とが接続可能な構成とされるとともに、血液浄化用回路の先端部を束ねつつ形成された第１コネクタと、接続流路の先端部を束ねつつ形成された第２コネクタとを具備し、当該第１コネクタ及び第２コネクタが接続されることにより血液浄化器の接続部に対応した血液浄化用回路がそれぞれ連通可能とされたので、血液浄化用回路と血液浄化器との接続作業を容易に行わせることができるとともに、製造コスト及びメンテナンスのためのコストを低減させることができる。
また、第１コネクタ又は第２コネクタは、血液浄化用回路又は血液浄化器の固有情報を識別可能とする識別手段が形成されたので、固有情報に応じた血液浄化治療を確実且つ円滑に行わせることができる。
さらに、装置本体は、第１コネクタ及び第２コネクタが接続された状態に限り保持可能な保持手段を具備するとともに、当該保持手段で第１コネクタ及び第２コネクタが保持された状態で識別手段の識別が可能とされたので、識別手段の識別時には必ず第１コネクタ及び第２コネクタが接続された状態となっており、第１コネクタ及び第２コネクタの接続忘れを確実に防止することができる。
【００２７】
請求項２の発明によれば、透析液導入チューブ及び透析液導出チューブの先端部が血液回路の先端部と共に束ねられつつ第２コネクタに接続されたので、第１コネクタと第２コネクタとを接続することにより、血液浄化器の接続部に対応した血液回路、透析液導入チューブ及び透析液導出チューブをそれぞれ連通させることができる。【００２８】
請求項３の発明によれば、第１コネクタ及び第２コネクタが接続された状態において、血液浄化用回路の先端部と接続流路の先端部とがシール可能とされたので、血液浄化器に対する送液時、液体が漏れてしまうのを防止することができるとともに、接続作業と同時にシール作業を行わせることができる。【００２９】
請求項４の発明によれば、第１コネクタ及び第２コネクタは、正規の種類又は接続の向きを視認可能な目印が形成されたので、接続作業時における誤接続を抑制することができる。【００３０】
請求項５の発明によれば、第１コネクタ及び第２コネクタは、正規の種類又は接続の向きに限り接続を可能とする形状を有するので、接続作業時における誤接続を確実に防止することができる。【００３１】
請求項６の発明によれば、第１コネクタ及び第２コネクタの接続状態を検知可能な検知手段を具備したので、当該接続状態に応じた作業や動作を行わせることができる。【００３２】
請求項７の発明によれば、装置本体は、前記第１コネクタ及び第２コネクタが接続されたことを検知手段にて検知したことを条件として血液浄化用回路による送液を行わせるので、第１コネクタ及び第２コネクタが未接続の状態で血液浄化器に送液されてしまうのを回避させることができる。【００３４】
請求項８の発明によれば、識別手段は、第１コネクタ又は第２コネクタに付与された識別コードから成り、装置本体に配設された読み取り手段にて当該識別コードの情報を読み取ることにより血液浄化用回路又は血液浄化器の固有情報を識別可能とされたので、より多くの固有情報を付与させることができる。
【００３５】
請求項９の発明によれば、装置本体は、読み取り手段で読み取った識別コードの情報を表示可能な表示手段を具備したので、医療従事者に対して血液浄化用回路又は血液浄化器の固有情報を視認させることができる。
【００３７】
請求項１０の発明によれば、装置本体は、識別手段で識別された情報に基づいて治療条件を制限し得るので、血液浄化治療の安全性をより向上させることができる。
【図面の簡単な説明】
【００４２】
【図１】本発明の実施形態に係る血液浄化装置（血液浄化器及びコネクタを装置本体に取り付ける前の状態）を示す正面図及び側面図
【図２】図１中ＩＩ矢視図
【図３】同血液浄化装置（血液浄化器及びコネクタを装置本体に取り付けた状態）を示す正面図及び側面図
【図４】同血液浄化装置における第１コネクタ及び第２コネクタの接続関係を示す模式図
【図５】同血液浄化装置における血液浄化治療時の接続関係を示す模式図
【図６】同血液浄化装置における第１コネクタ及び第２コネクタが接続された状態を示す斜視図
【図７】同血液浄化装置における第１コネクタ及び第２コネクタが接続された状態を示す平面図
【図８】図７におけるＶＩＩＩ−ＶＩＩＩ線断面図
【図９】同血液浄化装置における第１コネクタを示す斜視図
【図１０】同血液浄化装置における第２コネクタを示す斜視図
【図１１】同血液浄化装置の全体構成を示すブロック図
【図１２】同血液浄化装置における記憶部にて固有情報を記憶するためのテーブル
【図１３】同血液浄化装置における制御内容を示すフローチャート
【図１４】本発明の他の実施形態に係る血液浄化装置における第１コネクタ及び第２コネクタを示す模式図
【図１５】本発明の他の実施形態に係る血液浄化装置における第１コネクタ及び第２コネクタを示す模式図
【図１６】本発明の他の実施形態に係る血液浄化装置における第１コネクタ及び第２コネクタを示す模式図
【図１７】本発明の他の実施形態に係る血液浄化装置における第１コネクタ及び第２コネクタを示す模式図
【図１８】第１の参考例に係る血液浄化装置を示す模式図
【図１９】同血液浄化装置の制御内容を示すフローチャート
【図２０】第２の参考例に係る血液浄化装置を示す模式図
【図２１】第３の参考例に係る血液浄化装置を示す模式図
【発明を実施するための形態】
【００４３】
以下、本発明の実施形態について図面を参照しながら具体的に説明する。
本実施形態に係る血液浄化装置は、患者の血液を体外循環させつつ浄化するための透析装置に適用されたもので、図１〜１１に示すように、血液浄化用回路１と、血液浄化器としてのダイアライザ２と、第１コネクタ３と、第２コネクタ４と、読み取り手段１３及び制御部１７等を有した透析装置本体８（本発明の「装置本体」に相当）とから主に構成されている。
【００４４】
ダイアライザ２は、微小孔（ポア）が形成された複数の中空糸を筐体部に収容して成るものであり、その筐体部に、血液浄化用回路１に接続可能な複数の接続部として、血液導入ポート２ａ、血液導出ポート２ｂ、透析液導入ポート２ｃ及び透析液導出ポート２ｄが形成されている。また、本実施形態においては、これら血液導入ポート２ａ、血液導出ポート２ｂ、透析液導入ポート２ｃ及び透析液導出ポート２ｄから、それぞれ可撓性チューブから成る接続流路（ａ〜ｄ）が延設されている。
【００４５】
血液浄化用回路１は、基端に動脈側穿刺針が取り付け可能とされた動脈側血液回路１ａと、基端に静脈側穿刺針が取り付け可能とされた静脈側血液回路１ｂと、ダイアライザ２に透析液を導入する透析液導入チューブ（１ｃ、１ｄ、１ｅ、１ｆ）と、ダイアライザ２から透析液（排液）を導出する透析液導出チューブ（１ｇ、１ｈ）とを有している。また、本実施形態に係る血液浄化用回路１は、透析液導入チューブ１ｅから分岐した補液導入チューブ（１ｅ’、１ｆ’）を有している。さらに、本実施形態に係る血液浄化用回路１は、本体部Ｈを有しており、当該本体部Ｈに被しごき用可撓性チューブ（Ｄ１〜Ｄ５）が形成されている。
【００４６】
被しごき用可撓性チューブＤ１は、動脈側血液回路１ａの途中（動脈側血液回路を構成するチューブ１ａａと１ａｂとの間）に接続され、透析装置本体８に配設されたしごき型ポンプＰ１（血液ポンプ）に取り付けられる。また、被しごき用可撓性チューブＤ２は、透析液導入チューブ（１ｃ、１ｄ）の途中に接続されるとともに、被しごき用可撓性チューブＤ３は、補液導入チューブ（１ｅ’、１ｆ’）の途中に接続され、透析装置本体８に配設されたしごき型ポンプＰ２、Ｐ３にそれぞれ取り付けられる。さらに、被しごき用可撓性チューブＤ４は、透析液導出チューブ（１ｇ、１ｈ）の途中に接続され、透析装置本体８に配設されたしごき型ポンプＰ４に取り付けられる。なお、被しごき用可撓性チューブＤ５は、しごき型ポンプＰ５に取り付けられ、駆動によって収容バッグＢ２に溜まった液を系外に排出することにより、重量計７の精度確保を図り得るものである。
【００４７】
そして、本体部Ｈを透析装置本体８におけるしごき型ポンプＰ１〜Ｐ５が配設された部位（ステータ）に嵌合して取り付け（図１、２参照）、カバー１２を閉じる（図３参照）ことにより、被しごき用可撓性チューブ（Ｄ１〜Ｄ４）がしごき型ポンプ（Ｐ１〜Ｐ４）に一括して取り付けられるようになっている。しかして、動脈側穿刺針及び静脈側穿刺針を患者に穿刺した後、しごき型ポンプＰ１（血液ポンプ）を駆動させると、動脈側血液回路１ａ及び静脈側血液回路１ｂにおいて患者の血液を体外循環させ得るようになっている。
【００４８】
また、透析液導入チューブ（１ｃ、１ｄ、１ｅ、１ｆ）の基端（チューブ１ｃの基端）には、ダイアライザ２に供給するための透析液を収容した収容バッグＢ１が接続され、その途中（チューブ１ｄとチューブ１ｅの間）には、透析液を加温するための加温バッグ５が接続されるとともに、透析液導出チューブ（１ｇ、１ｈ）の基端（チューブ１ｈの基端）には、ダイアライザ２から排出された透析液（排液）を収容する収容バッグＢ２が接続されるようになっている。
【００４９】
そして、しごき型ポンプＰ２を駆動させると、収容バッグＢ１の透析液がダイアライザ２に向かって流れるとともに、しごき型ポンプＰ４を駆動させると、ダイアライザ２の透析液（排液）が収容バッグＢ２に向かって流れることとなる。なお、収容バッグＢ１、Ｂ２は、透析装置本体８に配設されたフックＦにそれぞれ引っ掛けられるとともに、重量計６、７にてリアルタイムに重量が計測されるよう構成されている。これにより、設定された流量にて透析液をダイアライザ２に供給し、当該ダイアライザ２から透析液を排出させることができる。
【００５０】
また、本実施形態においては、透析液導入チューブ１ｅから分岐した補液導入チューブ１ｅ’と静脈側血液回路１ｂに接続された補液導入チューブ１ｆ’との間に被しごき用可撓性チューブＤ３が接続されており、この被しごき用可撓性チューブＤ３がしごき型ポンプＰ３に取り付けられている。そして、しごき型ポンプＰ２、Ｐ３を駆動させることにより、収容バッグＢ１の透析液を静脈側血液回路１ｂに供給して補液することができるようになっている。なお、補液導入チューブ１ｆ’の先端を動脈側血液回路１ａに接続し、当該動脈側血液回路１ａに透析液を供給して補液するようにしてもよい。
【００５１】
ここで、本実施形態においては、ダイアライザ２（血液浄化器）の複数の接続部（各ポート）から接続流路（ａ〜ｄ）をそれぞれ延設させ、当該接続流路（ａ〜ｄ）を介してダイアライザ２と血液浄化用回路１とが接続可能な構成とされるとともに、血液浄化用回路１の先端部（具体的には、動脈側血液回路１ａのチューブ１ａｂ、静脈側血液回路１ｂ、透析液導入チューブのチューブ１ｆ、及び透析液導出チューブのチューブ１ｇの先端部）を束ねつつ形成された第１コネクタ３と、ダイアライザ２の各ポートから延設された接続流路（ａ〜ｄ）の先端部を束ねつつ形成された第２コネクタ４とを具備し、図６、７に示すように、当該第１コネクタ３及び第２コネクタ４が接続されることによりダイアライザ２（血液浄化器）の接続部（各ポート）に対応した血液浄化用回路がそれぞれ連通可能とされている。
【００５２】
第１コネクタ３は、図９に示すように、被係止部３ａと、凹形状３ｂと、血液浄化用回路１の先端部とそれぞれ連通した接続ポート３ｃとが形成されているとともに、第２コネクタ４は、図１０に示すように、係止爪４ａと、凸形状４ｂと、接続流路（ａ〜ｄ）の先端部とそれぞれ連通した接続ポート４ｃとが形成されている。そして、第１コネクタ３と第２コネクタ４とを接続させると、図６、７に示すように、係止爪４ａが被係止部３ａに係止するとともに、凹形状３ｂに凸形状４ｂが嵌合するようになっている。
【００５３】
しかして、第１コネクタ３及び第２コネクタ４が接続された状態において、係止爪４ａが被係止部３ａに係止するので、当該第１コネクタ３及び第２コネクタ４の接続が不用意に解除されてしまうのを防止することができる。なお、第２コネクタ４には、係止爪４ａの係止を解くための操作部４ｄが形成されており、当該操作部４ｄを操作することにより、第１コネクタ３及び第２コネクタ４の接続を解除し得るようになっている。
【００５４】
また、第１コネクタ３及び第２コネクタ４が接続された状態において、凹形状３ｂに凸形状４ｂが嵌合するよう構成されているので、正規の種類又は接続の向きに限り接続が可能とされている。すなわち、第１コネクタ３及び第２コネクタ４の種類が正規のものでない場合や互いの向きが逆の場合、凹形状３ｂに凸形状４ｂが嵌合しないようになっており、第１コネクタ３と第２コネクタ４が誤って接続されるのを防止できるのである。なお、本実施形態においては、第１コネクタ３及び第２コネクタ４の一部に正規の種類又は接続の向きに限り接続を可能とする形状（凹形状３ｂ及び凸形状４ｂ）が形成されているが、第１コネクタ３及び第２コネクタ４の接続部全体を正規の種類又は接続の向きに限り接続を可能とする形状としてもよい。
【００５５】
さらに、第１コネクタ３及び第２コネクタ４が接続された状態において、図８に示すように、各接続ポート３ｃが各接続ポート４ｃにそれぞれ固く嵌合するよう構成されている。これにより、血液浄化用回路１と接続流路（ａ〜ｄ）とが連通して液体の流動を許容し得るとともに、血液浄化用回路１の先端部と接続流路（ａ〜ｄ）の先端部とがシールされ、液体が流動する際の漏れを防止している。なお、第１コネクタ３及び第２コネクタ４が接続された状態において、血液浄化用回路１の先端部と接続流路（ａ〜ｄ）の先端部とをシールする別個のシール材を設けるようにしてもよい。
【００５６】
しかるに、正規の種類又は接続の向きを視認可能な目印を第１コネクタ３及び第２コネクタ４に形成してもよく、例えば、図１４に示すように、第１コネクタ３に接続されたチューブのそれぞれに任意色分けされた着色部ｍ１〜ｍ４（目印）を形成するとともに、第２コネクタ４に接続されたチューブのそれぞれに対応して色分けされた着色部ｍ１〜ｍ４を形成したもの、図１５に示すように、第１コネクタ３及び第２コネクタ４のそれぞれに目印ｍ５を形成したものとし、正規の種類又は接続の向きを視認可能としたものとしてもよい。なお、第１コネクタ３及び第２コネクタ４に接続されるチューブは、４本に限らず、任意本数（複数本）であってもよく、その場合であっても、図１６、１７に示すように、色分けした目印ｍ６、ｍ７や目印ｍ８を形成するのが好ましい。
【００５７】
しかして、第１コネクタ３及び第２コネクタ４を接続することにより、動脈側血液回路１ａが接続流路ａを介して血液導入ポート２ａに接続され、静脈側血液回路１ｂが接続流路ｂを介して血液導出ポート２ｂに接続されるとともに、透析液導入チューブ（１ｃ、１ｄ、１ｅ、１ｆ）が接続流路ｃを介して透析液導入ポート２ｃに接続され、透析液導出チューブ（１ｇ、１ｈ）が接続流路ｄを介して透析液導出ポート２ｄに接続されることとなる。これにより、患者の血液を体外循環させる過程でダイアライザ２にて浄化させるとともに、ダイアライザ２に対して透析液を供給及び排出させることができる。
【００５８】
さらに、本実施形態に係る第１コネクタ３及び第２コネクタ４は、血液浄化用回路１又はダイアライザ２の固有情報を識別可能とする識別手段α、βがそれぞれ形成されている。これら識別手段α、βは、第１コネクタ３又は第２コネクタ４に付与された識別コードから成り、透析装置本体８に配設された読み取り手段１３（図１１参照）にて当該識別コードの情報を読み取ることにより血液浄化用回路１又はダイアライザ２の固有情報を識別可能とされている。
【００５９】
本実施形態に係る識別手段α、βは、所定のフォーマットで情報が付加されたバーコード（「ＱＲコード（登録商標）」と称される２次元バーコードを含む）から成り、バーコードリーダーから成る読み取り手段１３にて光学的に情報を読み取り可能とされている。なお、識別手段α、βは、バーコード等に限定されず、磁気的に情報を保持したもの、或いは識別のための突起等が形成されたもの（この場合、突起の位置や大きさにより識別が可能とされるもの）等であってもよい。
【００６０】
特に、本実施形態に係る識別手段α、βにおいては、血液浄化治療又はその準備（プライミング等）を行う際の血液浄化用回路１又はダイアライザ２（第１コネクタ３又は第２コネクタ４に接続された血液浄化用回路１又はダイアライザ２）の使用条件を含む固有情報が識別可能とされている。より具体的には、識別手段α、βにおける固有情報としての使用条件は、血液浄化治療又はその準備に係わる制限事項又は許容範囲を示すパラメータを含むもので、例えば以下のものが挙げられる。
【００６１】
すなわち、固有情報に含まれる血液浄化治療に係わる使用条件として、対応可能な治療モード（ＣＨＤ、ＣＨＦ、ＣＨＤＦ、ＰＥ等）、最長治療時間、適応患者体重の上限値・下限値、血液流量操作範囲の上限値・下限値、透析液流量操作範囲の上限値・下限値、補液流量操作範囲の上限値・下限値、血液圧力監視警報の上限値・下限値、透析液圧力監視警報の上限値・下限値、補液圧力監視警報の上限値・下限値、フィルター差圧監視警報の上限値・下限値、ＴＭＰ監視警報の上限値・下限値、脱血流量操作範囲の上限値・下限値、返血流量操作範囲の上限値・下限値等が挙げられる。また、血液浄化治療の準備（プライミング）に係わる使用条件として、プライミング（液充填）流量、プライミング時間、プライミング方法（ポンプやクランプの動作仕様）、プライミング後のテスト方法、プライミング後のテスト合格範囲等が挙げられる。
【００６２】
また、本実施形態に係る識別手段α、βの固有情報は、上記した使用条件の他、血液浄化用回路１又はダイアライザ２の使用期限等の付加情報を含む。かかる付加情報として、使用期限の他、例えば（第１コネクタ３又は第２コネクタ４に接続された血液浄化用回路１又はダイアライザ２の）名称、型式、製造者、製造番号、膜面積、プライミングボリューム（液充填容量）、材質・成分、使用方法、滅菌方法等が挙げられる。
【００６３】
透析装置本体８は、図１１に示すように、血液回路（動脈側血液回路１ａ及び静脈側血液回路１ｂ）及びダイアライザ２（血液浄化器）にて血液浄化治療させるための種々の治療手段１６（血液ポンプ等のアクチュエータやセンサ類など）が配設されたもので、上記した読み取り手段１３の他、表示手段９と、記憶部１４と、入力手段１５と、制御部１７とを具備している。なお、透析装置本体８は、ダイアライザ２を所定の姿勢にて保持するための保持部１０（図３参照）を具備している。
【００６４】
表示手段９は、血液浄化治療における設定値や患者や装置の状態等を表示するもので、本実施形態においては、タッチパネルから成るとともに、読み取り手段１３で読み取った識別コードの情報を表示可能とされている。入力手段１５は、血液浄化治療又はその準備を行うための設定を入力するためのもので、本実施形態においては、表示手段９と兼用されたタッチパネルから成る。なお、表示手段９及び入力手段１５を別個のものとしてもよい。
【００６５】
記憶部１４は、透析装置本体８に配設されたストレージ等から成り、読み取り手段１３で読み取られた固有情報を記憶するものである。具体的には、読み取り手段１３にて読み取られた情報（固有情報としての使用条件、仕様又は付加情報等）は、図１２に示すような記憶部１４が有するテーブルにそれぞれ入力され、記憶されるよう構成されているのである。なお、記憶部１４による情報の記憶方法は、上記の如くテーブルを使用したものに限らず、任意のものであってもよい。
【００６６】
制御部１７は、透析装置本体８に配設されたマイコン等から成り、読み取り手段１３で読み取られた固有情報の使用条件に基づき、血液浄化治療又はその準備を行わせるものである。すなわち、読み取り手段１３にて読み取られた後、記憶部１４に記憶された固有情報の使用条件に基づき、制御部１７にて治療手段１６を制御し、血液浄化治療又はその準備を行わせるのである。さらに、制御部１７は、識別手段α、βで識別された情報に基づいて血液浄化治療時の条件を制限し得るよう構成されている。
【００６７】
一方、透析装置本体８は、第１コネクタ３及び第２コネクタ４が接続された状態に限り保持可能な保持手段１１（図１〜３参照）を具備するとともに、当該保持手段１１で第１コネクタ３及び第２コネクタ４が保持された状態で読み取り手段１３により識別手段α、βが読み取られ、識別が可能とされている。すなわち、保持手段１１は、第１コネクタ３と第２コネクタ４とが接続された状態で保持可能とされ、未接続の状態では保持できない（保持しない）構成とされているので、読み取り手段１３で識別情報α、βを読み取る際には、必ず第１コネクタ３及び第２コネクタ４が接続されているのである。
【００６８】
しかるに、第１コネクタ３及び第２コネクタ４の接続状態を検知可能な検知手段を具備するとともに、透析装置本体８は、第１コネクタ３及び第２コネクタ４が接続されたことを検知手段にて検知したことを条件として血液浄化用回路１による送液（すなわち、しごき型ポンプＰ１〜Ｐ４の駆動）を行わせるようにしてもよい。このように、第１コネクタ３及び第２コネクタ４の接続状態を検知可能な検知手段を具備すれば、当該接続状態に応じた作業や動作を行わせることができるとともに、第１コネクタ３及び第２コネクタ４が接続されたことを検知手段にて検知したことを条件として血液浄化用回路１による送液を行わせるようにすれば、第１コネクタ３及び第２コネクタ４が未接続の状態でダイアライザ２に送液されてしまうのを回避させることができる。
【００６９】
次に、本実施形態に係る透析装置（血液浄化装置）における制御内容について、図１３のフローチャートに基づいて説明する。
先ず、Ｓ１にて医療従事者が入力手段１５により初期設定を入力した後、ダイアライザ２及び血液浄化用回路１を透析装置本体８に装着し（Ｓ２）、第１コネクタ３と第２コネクタ４とを接続して保持手段１１に保持させる（Ｓ３）。なお、入力手段１５にて入力された初期設定は、制御部１７に送信される。
【００７０】
そして、保持手段１１に保持された第１コネクタ３及び第２コネクタ４の識別手段α、βの固有情報を読み取り手段１３にて読み取り（Ｓ４）、その読み取った情報（使用条件を含む固有情報や付加情報等）を表示手段９にて表示させる（Ｓ５）。なお、読み取り手段１３で読み取られた情報のうち、特に使用条件を含む固有情報は、記憶部１４に送信されて例えば当該記憶部１４が有するテーブル等に記憶される。
【００７１】
その後、Ｓ１にて入力された初期設定が記憶部１４に記憶された使用条件を参酌して適正か否かが判断され（Ｓ６）、適正でない（すなわち、初期設定が固有情報の使用条件に合致していない）と判断されると、Ｓ７に進み、例えば表示手段９にて「不適正」なる表示を行わせるとともに、適正である（すなわち、初期設定が固有情報の使用条件に合致している）と判断されると、Ｓ８に進む。
【００７２】
Ｓ８においては、読み取り手段１３にて付加情報として読み取った情報のうち使用期限を参酌し、血液浄化用回路１又はダイアライザ２が使用期限内であるか否かが判断され、使用期限外（すなわち、使用期限を超えている）であると判断されると、Ｓ９に進み、例えば表示手段９にて「使用期限外」なる表示を行わせるとともに、使用期限内（すなわち、使用期限を超えていない）であると判断されると、Ｓ１０に進む。
【００７３】
Ｓ１０においては、記憶部１４に記憶された使用条件に基づき、血液浄化治療の準備工程であるプライミングが行われる。プライミングが終了すると、Ｓ１１にて医療従事者によって入力手段１５により詳細設定（血液浄化治療に係る治療条件等の設定）が行われ、続いて、動脈側血液回路１ａ及び静脈側血液回路１ｂに取り付けられた穿刺針を患者に穿刺することにより患者と血液浄化用回路１とを接続する（Ｓ１２）。
【００７４】
その後、記憶部１４に記憶された使用条件に基づき、血液浄化治療が行われる（Ｓ１３）。このＳ１３においては、制御部１７が記憶部１４に記憶された使用条件に基づき治療手段１６を制御することにより、当該使用条件に沿った適正な血液浄化治療（透析治療）が行われる。血液浄化治療（返血工程等含む）が終了すると、患者から穿刺針を抜き取ることにより患者と血液浄化用回路１とを分離させる（Ｓ１４）。以上により、一連の制御が終了する。
【００７５】
上記実施形態によれば、ダイアライザ２（血液浄化器）の接続部（各ポート）からそれぞれ接続流路（ａ〜ｄ）を延設させ、当該接続流路（ａ〜ｄ）を介してダイアライザ２と血液浄化用回路１とが接続可能な構成とされるとともに、血液浄化用回路１の先端部を束ねつつ形成された第１コネクタ３と、接続流路（ａ〜ｄ）の先端部を束ねつつ形成された第２コネクタ４とを具備し、当該第１コネクタ３及び第２コネクタ４が接続されることによりダイアライザ２（血液浄化器）の接続部に対応した血液浄化用回路１がそれぞれ連通可能とされたので、血液浄化用回路１とダイアライザ２（血液浄化器）との接続作業を容易に行わせることができるとともに、製造コスト及びメンテナンスのためのコストを低減させることができる。
【００７６】
また、本実施形態においては、透析液導入チューブ（１ｃ、１ｄ、１ｅ、１ｆ）及び透析液導出チューブ（１ｇ、１ｈ）の先端部が血液回路（動脈側血液回路１ａ及び静脈側血液回路１ｂ）の先端部と共に束ねられつつ第２コネクタ４に接続されたので、第１コネクタ３と第２コネクタ４とを接続することにより、ダイアライザ２（血液浄化器）の接続部に対応した血液回路、透析液導入チューブ及び透析液導出チューブをそれぞれ連通させることができる。
【００７７】
特に、第１コネクタ３及び第２コネクタ４が接続された状態において、血液浄化用回路１の先端部と接続流路（ａ〜ｄ）の先端部とがシール可能とされたので、ダイアライザ２（血液浄化器）に対する送液時、液体（プライミング液、血液又は透析液等）が漏れてしまうのを防止することができるとともに、接続作業と同時にシール作業を行わせることができる。なお、第１コネクタ３及び第２コネクタ４に正規の種類又は接続の向きを視認可能な目印を形成することにより、接続作業時における誤接続を抑制することができる。
【００７８】
さらに、本実施形態に係る第１コネクタ３及び第２コネクタ４は、正規の種類又は接続の向きに限り接続を可能とする形状（凹形状３ｂ及び凸形状４ｂ）を有するので、接続作業時における誤接続を確実に防止することができる。また、本実施形態に係る第１コネクタ３又は第２コネクタ４は、血液浄化用回路１又はダイアライザ２の固有情報を識別可能とする識別手段α、βが形成されたので、固有情報に応じた血液浄化治療を確実且つ円滑に行わせることができる。なお、識別手段α、βは、第１コネクタ３及び第２コネクタ４の少なくとも一方に形成されていれば足りる。
【００７９】
またさらに、本実施形態に係る識別手段α、βは、第１コネクタ３又は第２コネクタ４に付与された識別コードから成り、透析装置本体８（装置本体）に配設された読み取り手段１３にて当該識別コードの情報を読み取ることにより血液浄化用回路１又はダイアライザ２の固有情報を識別可能とされたので、より多くの固有情報を付与させることができる。また、透析装置本体８は、読み取り手段１３で読み取った識別コードの情報を表示可能な表示手段９を具備したので、医療従事者に対して血液浄化用回路１又はダイアライザ２（血液浄化器）の固有情報を視認させることができる。
【００８０】
また、本実施形態に係る透析装置本体８は、第１コネクタ３及び第２コネクタ４が接続された状態に限り保持可能な保持手段１１を具備するとともに、当該保持手段１１で第１コネクタ３及び第２コネクタ４が保持された状態で識別手段α、βの識別が可能とされたので、識別手段α、βの識別時には必ず第１コネクタ３及び第２コネクタ４が接続された状態となっており、第１コネクタ３及び第２コネクタ４の接続忘れを確実に防止することができる。なお、透析装置本体８は、識別手段で識別された情報に基づいて治療条件を制限し得るので、血液浄化治療の安全性をより向上させることができる。
【００８１】
加えて、上記実施形態によれば、血液浄化治療又はその準備を行う際の血液浄化用回路１又はダイアライザ２（血液浄化器）の使用条件を含む固有情報が識別可能な識別手段α、βと、識別手段α、βの固有情報を読み取り可能な読み取り手段１３と、読み取り手段１３で読み取られた固有情報の使用条件に基づき、血液浄化治療又はその準備を行わせる制御部１７とを具備したので、血液浄化治療又はその準備を行う際の設定作業を容易且つ円滑に行わせることができる。
【００８２】
また、透析装置本体８は、読み取り手段１３で読み取られた固有情報を記憶する記憶部１４を具備し、当該記憶部１４に記憶された固有情報の使用条件に基づき制御部１７にて血液浄化治療又はその準備を行わせるので、血液浄化治療又はその準備をより確実に行わせることができる。特に、識別手段α、βにおける固有情報としての使用条件は、血液浄化治療又はその準備に係わる制限事項又は許容範囲を示すパラメータを含むので、透析装置本体８に予め血液浄化用回路１やダイアライザ２（血液浄化器）毎の当該制限事項や許容範囲を示すパラメータを予め記憶しておく必要がない。
【００８３】
さらに、識別手段の固有情報は、使用条件の他、血液浄化用回路１又はダイアライザ２（血液浄化器）の使用期限等の付加情報を含むので、当該付加情報に基づいて、制御部１７にて血液浄化治療又はその準備を行わせることができる。また、透析装置本体８の制御部１７は、識別手段α、βで識別された情報に基づいて治療条件を制限し得るので、血液浄化治療の安全性をより向上させることができる。
【００８４】
またさらに、第１コネクタ３及び第２コネクタ４が接続されることによりダイアライザ２（血液浄化器）の接続部に対応した血液浄化用回路１がそれぞれ連通可能とされ、且つ、識別手段α、βは、当該第１コネクタ３又は第２コネクタ４に形成されたので、血液浄化用回路１とダイアライザ２との接続作業を容易に行わせることができるとともに、血液浄化治療又はその準備を行う際の設定作業を容易且つ円滑に行わせることができる。
【００８５】
次に、第１の参考例について説明する。
本参考例に係る血液浄化装置は、上記実施形態と同様、患者の血液を体外循環させつつ浄化するための透析装置に適用されたもので、図１８に示すように、血液浄化用回路１と、血液浄化器としてのダイアライザ２と、重量計１８と、制御手段１９とを有して構成されている。なお、上記実施形態と同様の構成要素には同一の符号を付し、それらの詳細な説明を省略する。
【００８６】
重量計１８は、ダイアライザ２に導入する透析液を収容した複数の収容バッグＢ１（透析液用収容容器）と、ダイアライザ２からの排液を収容し得る１つの収容バッグＢ２（排液用収容容器）とをフックＦに引っ掛けて保持するとともに、それら収容バッグＢ１及び収容バッグＢ２の重量（収容バッグＢ１及び収容バッグＢ２の総重量）をリアルタイムに計測し得るよう構成されている。なお、収容バッグＢ１、Ｂ２は、柔軟性を有した収容容器から成り、このうち収容バッグＢ２は、血液浄化治療を開始する前において、内部に排液が収容されていない空の状態とされている。
【００８７】
ここで、本参考例に係る血液浄化用回路は、透析液を収容した収容バッグＢ１（透析液用収容容器）のそれぞれに接続され、ダイアライザ２に透析液を導入する透析液導入チューブＬ１と、排液を収容し得る収容バッグＢ２（排液用収容容器）に接続され、ダイアライザ２から排液を導出する透析液導出チューブＬ３と、収容バッグＢ２（排液用収容容器）に接続され、当該収容バッグＢ２から排液を装置外部に排出させる排出チューブＬ４とを有して構成されている。
【００８８】
なお、本参考例に係る透析液導入チューブＬ１の途中（しごき型ポンプＰ２の配設位置より上流側）と静脈側血液回路１ｂに接続されたエアトラップチャンバｄ１との間には、補液導入チューブＬ２が接続されている。かかる補液導入チューブＬ２の途中には、被しごき用可撓性チューブＤ３が接続されており、この被しごき用可撓性チューブＤ３がしごき型ポンプＰ３に取り付けられるよう構成されている。
【００８９】
ここで、本参考例に係る排出チューブＬ４の途中には、被しごき用可撓性チューブＤ５が接続されるとともに、かかる被しごき用可撓性チューブＤ５がしごき型ポンプＰ５に取り付けられるよう構成されている。このしごき型ポンプＰ５は、しごき型ポンプＰ１（血液ポンプ）〜しごき型ポンプＰ４と同様のポンプから成り、駆動により、収容バッグＢ２の排液を排出チューブＬ４を介して装置外部（系外）まで流動させて排出可能とされている。
【００９０】
しかして、血液浄化治療時、しごき型ポンプＰ２を駆動させると、複数の収容バッグＢ１の透析液がダイアライザ２に向かって流れるとともに、しごき型ポンプＰ４を駆動させると、ダイアライザ２の透析液（排液）が収容バッグＢ２に向かって流れることとなる。また、しごき型ポンプＰ３を駆動させることにより、収容バッグＢ１の透析液を静脈側血液回路１ｂに供給して補液することができるようになっている。なお、補液導入チューブＬ２の先端を動脈側血液回路１ａに接続し、当該動脈側血液回路１ａに透析液を供給して補液するようにしてもよい。
【００９１】
制御手段１９は、重量計１８及びしごき型ポンプＰ１〜Ｐ５と電気的に接続されたマイコン等から成り、重量計１８で計測された重量や予め記憶された設定値に基づいてしごき型ポンプＰ１〜Ｐ５の駆動を制御し得るものである。この制御手段１９による制御により、血液浄化治療時、しごき型ポンプＰ２〜Ｐ４が予め記憶された１回転あたりの吐出量に基づいて所定の回転数で回転することにより送液し得るようになっている。
【００９２】
そして、しごき型ポンプ４の駆動速度は、治療の条件として患者から除水を行わない場合は、しごき型ポンプＰ１と同一の駆動速度となるよう制御されるとともに、除水を行う場合は、その除水による流量分を加算した駆動速度となるよう制御される。そして、所定時間経過後、重量計１８にて検出された収容バッグＢ１、Ｂ２の重量と理論上の重量との間に差がある場合は、その差をなくすための補正をすべく、制御手段１９による制御にてしごき型ポンプＰ４の駆動速度を自動的に微調整し得るようになっている。なお、このときの駆動速度を補正速度と称することとする。
【００９３】
さらに、しごき型ポンプＰ４の駆動量（回転数）から収容バッグＢ２に送り込まれる排液の量を算出するとともに、その送液された総量が所定の値（収容バッグＢ２の上限容量−収容バッグＢ２の下限容量）を超えた場合、収容バッグＢ２が満杯になったと判断し、しごき型ポンプＰ５を駆動させて排液工程を行わせるよう構成されている。かかる排液工程により、排出チューブＬ４を介して収容バッグＢ２（排液用収容容器）から排液を装置外部に排出させることができる。
【００９４】
次に、本参考例に係る制御手段１９による制御について、図１９のフローチャートに基づいて説明する。
先ず送液工程Ｓ１が開始されると、Ｓ２にてしごき型ポンプＰ２、Ｐ３を所定速度で駆動させるとともに、しごき型ポンプＰ４を補正速度（Ｓ１０にて補正される前は所定速度）で駆動させる。このとき、しごき型ポンプＰ５は停止しており、排出チューブＬ４が閉止された状態となっている。
【００９５】
そして、Ｓ３にて収容バッグＢ１（透析液用収容容器）の正味透析液残量（Vd_total）が０になったか否かを判断し、当該正味透析液残量が０であると判断された場合は、Ｓ４に進み、しごき型ポンプＰ２〜Ｐ４を停止（しごき型ポンプＰ５は、停止状態を維持）させて一連の制御を終了させる。一方、Ｓ３にて正味透析液残量が０でないと判断された場合は、Ｓ５に進み、しごき型ポンプＰ４の駆動量に基づき算出される収容バッグＢ２（排液用収容容器）の排液量（Vf_total）が予め設定した収容バッグＢ２の上限容量（満水容量）（Vf_max）から収容バッグＢ２の下限容量（Vf_min）を減算した値以上か否かが判断される。
【００９６】
Ｓ５による判断がYesの場合、Ｓ６にて排液工程が開始されるとともに、当該判断がNoの場合、Ｓ１０にて所定時間毎にしごき型ポンプＰ４の駆動速度を補正して補正速度（重量計１８にて検出された収容バッグＢ１、Ｂ２の重量と理論上の重量との間の差をなくす速度）を得た後、Ｓ１に戻って以降の一連の制御が再び行われることとなる。また、Ｓ６の排液工程が開始されると、Ｓ７にてしごき型ポンプＰ２、Ｐ３、Ｐ４を停止又は現補正速度を維持させつつしごき型ポンプＰ５を所定速度で駆動させる。
【００９７】
その後、Ｓ８にて重量計１８の計測値に基づく排液容量（Ve）が予め設定した収容バッグＢ２の上限容量（満水容量）（Vf_max）から収容バッグＢ２の下限容量（Vf_min）を減算した値と同一か否かが判断され、Ｓ８による判断がYesの場合、Ｓ９にて排液工程を終了させ、Ｓ１に戻るとともに、Ｓ８による判断がNoの場合、Ｓ７に戻って繰り返し当該判断を行わせる。
【００９８】
本参考例によれば、血液浄化用回路は、透析液を収容した収容バッグＢ１（透析液用収容容器）に接続され、ダイアライザ２に透析液を導入する透析液導入チューブＬ１と、排液を収容し得る収容バッグＢ２（排液用収容容器）に接続され、ダイアライザ２から排液を導出する透析液導出チューブＬ３と、収容バッグＢ２に接続され、当該収容バッグＢ２から排液を装置外部に排出させる排出チューブＬ４とを有するとともに、当該排出チューブＬ４には、排液を送液可能なポンプ（しごき型ポンプＰ５）が配設されたので、収容バッグＢ２から排液を装置外部に自動的且つ短時間に排出させることができる。
【００９９】
さらに、本参考例によれば、排出チューブＬ４に配設されたポンプは、しごき型ポンプＰ５から成るので、しごき型ポンプＰ５を駆動させることにより、収容バッグＢ２から排液を装置外部に排出させることができるとともに、停止させることにより排出チューブＬ４の流路を閉止することができる。したがって、低コストで極めて簡単な構成によって、排液の排出作業を省くことができる。
【０１００】
加えて、本参考例に係る重量計１８には、複数の収容バッグＢ１（透析液用収容容器）と収容バッグＢ２（排液用収容容器）との重量を合わせて計測することができるので、それぞれの収容バッグＢ１、Ｂ２に対して重量計を具備させるものに比べ、構成の簡素化及び低コスト化を図ることができるとともに、計量誤差を抑制することができる。特に、収容バッグＢ２（排液用収容容器）が１つであることから、当該収容バッグＢ２を複数用意する必要がなく、低コスト化を一層図ることができる。
【０１０１】
また、血液浄化治療を行っている間に（例えば、しごき型ポンプＰ２、Ｐ３、Ｐ４を動作させて治療を行っている間に）、しごき型ポンプＰ５を用いて、収容バッグＢ２の排液を装置外部に自動的且つ短時間に排出させることができる。このため、血液浄化治療と排液の排出とを同時に（並行して）行うことにより生じる除水誤差を、実用上問題のない程度まで低減することができる。すなわち、しごき型ポンプＰ５を用いることにより、収容バッグＢ２から排液を排出させる際にも、血液浄化治療を継続して（並行して）実施することが可能になる（血液浄化治療を中断する必要がない）との優れた効果を発揮する。
【０１０２】
次に、第２の参考例について説明する。
本参考例に係る血液浄化装置は、上記実施形態と同様、患者の血液を体外循環させつつ浄化するための透析装置に適用されたもので、図２０に示すように、血液浄化用回路１と、血液浄化器としてのダイアライザ２と、重量計１８と、制御手段１９とを有して構成されている。なお、上記実施形態と同様の構成要素には同一の符号を付し、それらの詳細な説明を省略する。
【０１０３】
本参考例に係る排出チューブＬ４は、少なくとも収容バッグＢ２（透析液用収容容器）より高い位置まで延設された延設部Ｌ５を有しており、その延設部Ｌ５の流路に対する外気の導入を許容しつつ流路内部の液体（排液）の排出を規制する外気取り入れ手段２０が取り付けられて構成されている。外気取り入れ手段２０は、例えば逆止弁又は疎水性フィルタから成り、延設部Ｌ５における最上部に接続されて外気の取り入れを可能としている。
【０１０４】
本参考例によれば、血液浄化用回路は、透析液を収容した収容バッグＢ１（透析液用収容容器）に接続され、ダイアライザ２に透析液を導入する透析液導入チューブＬ１と、排液を収容し得る収容バッグＢ２（排液用収容容器）に接続され、ダイアライザ２から排液を導出する透析液導出チューブＬ３と、収容バッグＢ２に接続され、当該収容バッグＢ２から排液を装置外部に排出させる排出チューブＬ４とを有するとともに、当該排出チューブＬ４には、排液を送液可能なポンプ（しごき型ポンプＰ５）が配設されたので、収容バッグＢ２から排液を装置外部に自動的且つ短時間に排出させることができる。
【０１０５】
特に、本参考例に係る排出チューブＬ４は、少なくとも収容バッグＢ２（透析液用収容容器）より高い位置まで延設された延設部Ｌ５を有するので、排出チューブＬ４から排液が意図せず漏れてしまうのを防止することができる。さらに、延設部Ｌ５には、その流路に対する外気の導入を許容しつつ流路内部の液体の排出を規制する外気取り入れ手段２０が取り付けられたので、延設部Ｌ５における排液の流動をより円滑且つ確実に行わせて装置外部に排出させることができる。
【０１０６】
次に、第３の参考例について説明する。
本参考例に係る血液浄化装置は、上記実施形態と同様、患者の血液を体外循環させつつ浄化するための透析装置に適用されたもので、図２１に示すように、血液浄化用回路１と、血液浄化器としてのダイアライザ２と、重量計１８と、制御手段１９とを有して構成されている。なお、上記実施形態と同様の構成要素には同一の符号を付し、それらの詳細な説明を省略する。
【０１０７】
本参考例に係る静脈側血液回路１ｂの先端側（静脈側穿刺針側）には、血液回路１にて体外循環する血液中に含まれる気泡を検出可能な気泡検出器等のセンサ類２１が取り付けられるとともに、動脈側血液回路１ａのしごき型ポンプＰ１（血液ポンプ）より下流側（しごき型ポンプＰ１とダイアライザ２との間）には、血液の凝固を抑制するための抗凝固剤を注入するためのシリンジ２２が接続されている。
【０１０８】
さらに、本参考例においては、透析液導入チューブＬ１の所定部位（補液導入チューブＬ２の接続部より下流側）には、補液導入チューブＬ６が接続されており、その先端が動脈側血液回路１ａの所定部位（しごき型ポンプＰ１とダイアライザ２との間）に接続されている。また、補液導入チューブＬ６と透析液導入チューブＬ１とに跨がって弁手段２３が配設されている。この弁手段２３は、透析液導入チューブＬ１及び補液導入チューブＬ６を任意に閉止及び開放し得るもので、モータ等のアクチュエータにて動作可能な弁を有して構成されている。
【０１０９】
なお、透析液導入チューブＬ１の途中には、ダイアライザ２や血液浄化用回路１に導入される透析液を加温するための加温手段２４が接続されるとともに、エアトラップチャンバｄ２の液位を検出するための液位検出センサ２５が取り付けられている。また、透析液導出チューブＬ３には、漏血センサ２６が取り付けられており、ダイアライザ２から透析液導出チューブＬ３を流れる透析液に血液が漏れた場合に、それを検出し得るよう構成されている。なお、図中符号ｐ１〜ｐ３は、流路中の液圧を検出するための液圧センサを示している。
【０１１０】
本参考例によれば、血液浄化用回路は、透析液を収容した収容バッグＢ１（透析液用収容容器）に接続され、ダイアライザ２に透析液を導入する透析液導入チューブＬ１と、排液を収容し得る収容バッグＢ２（排液用収容容器）に接続され、ダイアライザ２から排液を導出する透析液導出チューブＬ３と、収容バッグＢ２に接続され、当該収容バッグＢ２から排液を装置外部に排出させる排出チューブＬ４とを有するとともに、当該排出チューブＬ４には、排液を送液可能なポンプ（しごき型ポンプＰ５）が配設されたので、収容バッグＢ２から排液を装置外部に自動的且つ短時間に排出させることができる。
【０１１１】
さらに、本参考例によれば、排出チューブＬ４に配設されたポンプは、しごき型ポンプＰ５から成るので、しごき型ポンプＰ５を駆動させることにより、収容バッグＢ２から排液を装置外部に排出させることができるとともに、停止させることにより排出チューブＬ４の流路を閉止することができる。したがって、低コストで極めて簡単な構成によって、排液の排出作業を省くことができる。
【０１１２】
加えて、本参考例に係る重量計１８には、複数の収容バッグＢ１（透析液用収容容器）と収容バッグＢ２（排液用収容容器）との重量を合わせて計測することができるので、それぞれの収容バッグＢ１、Ｂ２に対して重量計を具備させるものに比べ、構成の簡素化及び低コスト化を図ることができるとともに、計量誤差を抑制することができる。特に、収容バッグＢ２（排液用収容容器）が１つであることから、当該収容バッグＢ２を複数用意する必要がなく、低コスト化を一層図ることができる。
【０１１３】
また、血液浄化治療を行っている間に（例えば、しごき型ポンプＰ２、Ｐ３、Ｐ４を動作させて治療を行っている間に）、しごき型ポンプＰ５を用いて、収容バッグＢ２の排液を装置外部に自動的且つ短時間に排出させることができる。このため、血液浄化治療と排液の排出とを同時に（並行して）行うことにより生じる除水誤差を、実用上問題のない程度まで低減することができる。すなわち、しごき型ポンプＰ５を用いることにより、収容バッグＢ２から排液を排出させる際にも、血液浄化治療を継続して（並行して）実施することが可能になる（血液浄化治療を中断する必要がない）との優れた効果を発揮する。
【０１１４】
特に、本参考例に係る排出チューブＬ４は、少なくとも収容バッグＢ２（透析液用収容容器）より高い位置まで延設された延設部Ｌ５を有するので、排出チューブＬ４から排液が意図せず漏れてしまうのを防止することができる。さらに、延設部Ｌ５には、その流路に対する外気の導入を許容しつつ流路内部の液体の排出を規制する外気取り入れ手段２０が取り付けられたので、延設部Ｌ５における排液の流動をより円滑且つ確実に行わせて装置外部に排出させることができる。
【０１１５】
以上、本実施形態について説明したが、本発明はこれに限定されず、例えばダイアライザ２に代えて他の血液浄化器（ヘモフィルタ、血漿分離器、血液吸着器等）としてもよく、或いは血液浄化用回路１に代えて、透析液導入チューブ及び透析液導出チューブを有さない流路（動脈側血液回路及び静脈側血液回路）としてもよい。すなわち、血液浄化用回路は、少なくとも患者の血液を体外循環させるための血液回路を構成する動脈側血液回路１ａ及び静脈側血液回路１ｂを有したものであれば、透析液導入チューブ及び透析液導出チューブを有さないもの、或いは補液ライン等の他の流路を有したものであってもよい。
【０１１６】
また、本実施形態においては、第１コネクタ３及び第２コネクタ４に識別手段α、βが形成されているが、これら識別手段α、βや読み取り手段１３等を具備しないもの、或いは識別手段α、βが血液浄化用回路１又はダイアライザ２（血液浄化器）の使用条件を含まない固有情報が識別可能なものとしてもよい。さらに、第１〜３の参考例においては、しごき型ポンプＰ５に代えて、他の汎用的な形態のポンプとしてもよい。なお、適用される血液浄化治療は、透析治療に限定されず、患者の血液を体外循環させつつ浄化する他の治療であってもよい。
【産業上の利用可能性】
【０１１７】
血液浄化器の接続部からそれぞれ接続流路を延設させ、当該接続流路を介して血液浄化器と血液浄化用回路とが接続可能な構成とされるとともに、血液浄化用回路の先端部を束ねつつ形成された第１コネクタと、接続流路の先端部を束ねつつ形成された第２コネクタとを具備し、当該第１コネクタ及び第２コネクタが接続されることにより血液浄化器の接続部に対応した血液浄化用回路がそれぞれ連通可能とされ、且つ、第１コネクタ又は第２コネクタは、血液浄化用回路又は血液浄化器の固有情報を識別可能とする識別手段が形成され、装置本体は、第１コネクタ及び第２コネクタが接続された状態に限り保持可能な保持手段を具備するとともに、当該保持手段で第１コネクタ及び第２コネクタが保持された状態で識別手段の識別が可能とされた血液浄化装置であれば、他の機能が付加されたもの等であってもよい。
【符号の説明】
【０１１８】
１    血液浄化用回路
１ａ  動脈側血液回路
１ｂ  静脈側血液回路
２    ダイアライザ（血液浄化器）
３    第１コネクタ
４    第２コネクタ
５    加温バッグ
６    重量計
７    重量計
８    透析装置本体（装置本体）
９    表示手段
１０  保持部
１１  保持手段
１２  カバー
１３  読み取り手段
１４  記憶部
１５  入力手段
１６  治療手段
１７  制御部
１８  重量計
１９  制御手段
２０  外気取り入れ手段
２１  センサ類
２２  シリンジ
２３  弁手段
２４  加温手段
２５  液位検出センサ
α、β  識別手段
【図１】
0005945368.tif 000002
【図２】
0005945368.tif 000003
【図３】
0005945368.tif 000004
【図４】
0005945368.tif 000005
【図５】
0005945368.tif 000006
【図６】
0005945368.tif 000007
【図７】
0005945368.tif 000008
【図８】
0005945368.tif 000009
【図９】
0005945368.tif 000010
【図１０】
0005945368.tif 000011
【図１１】
0005945368.tif 000012
【図１２】
0005945368.tif 000013
【図１３】
0005945368.tif 000014
【図１４】
0005945368.tif 000015
【図１５】
0005945368.tif 000016
【図１６】
0005945368.tif 000017
【図１７】
0005945368.tif 000018
【図１８】
0005945368.tif 000019
【図１９】
0005945368.tif 000020
【図２０】
0005945368.tif 000021
【図２１】
0005945368.tif 000022